【事件の表示】
　特許第３１７５６２６号「印刷システム」の請求項１ないし８に係る特許に対する特許異議の申立てについて、次のとおり決定する。
【結　論】
　訂正を認める。
　特許第３１７５６２６号の請求項１ないし８に係る特許を取り消す。
【理　由】
１．手続の経緯
　本件特許３１７５６２６号の発明についての出願は、平成９年３月２７日に出願され、平成１３年４月６日にその発明について特許権の設定登録がなされ、その後、相原光政、梅沢晃より特許異議の申立てがなされ、取り消しの理由が通知がなされ、その指定期間内である平成１４年７月１２日に訂正請求がなされたものである。
　
２．訂正の適否
２−１．訂正の内容
２−１−１．訂正事項ａ
　特許請求の範囲の請求項１において、
　「【請求項１】　ＷＷＷサーバ装置と接続された通信装置と、この通信装置を介して前記ＷＷＷサーバ装置に接続されたホスト装置から送信される印刷データを印刷する印刷装置とを備えた印刷システムにおいて、
　前記印刷装置が、前記印刷データの印刷処理を実行する印刷実行部と、この印刷実行部の動作を所定の設定情報に基づいて制御すると共に前記印刷実行部の状態情報を生成する印刷制御部とを備え、
　前記通信装置が、前記印刷制御部によって生成された状態情報に基づいて前記ＷＷＷサーバ装置のホームページに当該状態情報を表示させるホームページ管理部を備えたことを特徴とする印刷システム。」とあるのを、
　「【請求項１】　ＷＷＷサーバ装置と接続された通信装置と、この通信装置を介して前記ＷＷＷサーバ装置に接続されたホスト装置から送信される印刷データを印刷する印刷装置とを備えた印刷システムにおいて、
　前記印刷装置が、前記印刷データの印刷処理を実行する印刷実行部と、この印刷実行部の動作を所定の設定情報に基づいて制御すると共に前記印刷実行部の状態情報を生成する印刷制御部とを備え、
　前記通信装置が、前記印刷制御部によって生成された状態情報に基づいて前記ＷＷＷサーバ装置のホームページに当該状態情報を表示させるホームページ管理部を備え、
　前記ホームページ管理部は、前記印刷装置の状態情報の変化を検出した場合に前記状態情報を読み込んで前記ＷＷＷサーバ装置に格納された前記ホームページを成すファイルを更新することを特徴とする印刷システム。」と訂正する。
２−１−２．訂正事項ｂ
　特許請求の範囲の請求項６において、
　「【請求項６】　ネットワークに接続された複数のホスト装置から接続されるホームページを有するＷＷＷサーバ装置と、このＷＷＷサーバ装置に接続される複数のホスト装置と、この複数のホスト装置から送信された印刷データを受信する通信装置と、この通信装置で受信した印刷データを印刷する印刷装置とを備え、
　前記通信装置が、前記印刷装置の状態を前記ＷＷＷサーバ装置のホームページに表示する制御をするホームページ管理部を備えたことを特徴とする印刷システム。」とあるのを
　「【請求項６】　ネットワークに接続された複数のホスト装置から接続されるホームページを有するＷＷＷサーバ装置と、このＷＷＷサーバ装置に接続される複数のホスト装置と、この複数のホスト装置から送信された印刷データを受信する通信装置と、この通信装置で受信した印刷データを印刷する印刷装置とを備え、
　前記通信装置が、前記印刷装置の状態を前記ＷＷＷサーバ装置のホームページに表示する制御をするホームページ管理部を備え、
　前記ホームページ管理部は、前記印刷装置の状態の変化を検出した場合に前記状態情報を読み込んで前記ＷＷＷサーバ装置に格納された前記ホームページを成すファイルを更新することを特徴とする印刷システム。」と訂正する。
２−１−３．訂正事項ｃ
　明細書の段落番号【００１４】の記載において、
　「【課題を解決するための手段】
　そこで、本発明では、ＷＷＷサーバ装置と接続された通信装置と、この通信装置を介してＷＷＷサーバ装置に接続されたホスト装置から送信される印刷データを印刷する印刷装置とを備えている。しかも、印刷装置が、印刷データの印刷処理を実行する印刷実行部と、この印刷実行部の動作を所定の設定情報に基づいて制御すると共に印刷実行部の状態情報を生成する印刷制御部とを備え、通信装置が、印刷制御部によって生成された状態情報に基づいてＷＷＷサーバ装置のホームページに当該状態情報を表示させるホームページ管理部を備えた、という構成を採っている。これにより前述した目的を達成しようとするものである。」とあるのを、
　「【課題を解決するための手段】
　そこで、本発明では、ＷＷＷサーバ装置と接続された通信装置と、この通信装置を介してＷＷＷサーバ装置に接続されたホスト装置から送信される印刷データを印刷する印刷装置とを備えている。しかも、印刷装置が、印刷データの印刷処理を実行する印刷実行部と、この印刷実行部の動作を所定の設定情報に基づいて制御すると共に印刷実行部の状態情報を生成する印刷制御部とを備え、通信装置が、印刷制御部によって生成された状態情報に基づいてＷＷＷサーバ装置のホームページに当該状態情報を表示させるホームページ管理部を備え、ホームページ管理部は、印刷装置の状態情報の変化を検出した場合にその情報を読み込んでＷＷＷサーバ装置に格納されたホームページを成すファイルを更新する、という構成を採っている。これにより前述した目的を達成しようとするものである。」と訂正する。
２−１−４．訂正事項ｄ
　明細書の段落番号【００１５】の記載において、
　「ＷＷＷサーバ装置（ワールド・ワイド・ウェブ・サーバ・コンピュータ）は、各ホスト装置から接続されるホームページを有し、各ホスト装置から送信されたアドレスに応じてホームページを構築するファイルを各ホストコンピュータに送信する。一方、このＷＷＷサーバ装置に接続された各ホスト装置は、通信装置と接続されている。この通信装置は、プリンタサーバ装置か、または、印刷装置に接続されるネットワークボードである。また、ＷＷＷサーバ装置を実現するコンピュータが、この通信装置としても機能する構成とすることもできる。この通信装置は、ホームページ管理部を備えている。ホームページ管理部は、印刷装置の印刷制御部によって生成された状態情報に基づいてＷＷＷサーバ装置のホームページに当該状態情報を表示させる。各ホスト装置は、このＷＷＷサーバ装置のホームページにアクセスすると、印刷装置の状態がそのディスプレイに表示される。」とあるのを、
　「ＷＷＷサーバ装置（ワールド・ワイド・ウェブ・サーバ・コンピュータ）は、各ホスト装置から接続されるホームページを有し、各ホスト装置から送信されたアドレスに応じてホームページを構築するファイルを各ホストコンピュータに送信する。一方、このＷＷＷサーバ装置に接続された各ホスト装置は、通信装置と接続されている。この通信装置は、プリンタサーバ装置か、または、印刷装置に接続されるネットワークボードである。また、ＷＷＷサーバ装置を実現するコンピュータが、この通信装置としても機能する構成とすることもできる。この通信装置は、ホームページ管理部を備えている。ホームページ管理部は、印刷装置の印刷制御部によって生成された状態情報に基づいてＷＷＷサーバ装置のホームページに当該状態情報を表示させ、印刷装置の状態情報の変化を検出した場合にその状態情報を読み込んでＷＷＷサーバ装置に格納されたホームページを成すファイルを更新する。各ホスト装置は、このＷＷＷサーバ装置のホームページにアクセスすると、印刷装置の状態がそのディスプレイに表示される。」と訂正する。
２−２．訂正の目的の適否、新規事項の有無及び拡張・変更の存否
　訂正事項ａ、ｂは、通信装置が備えているホームページ管理部の機能をさらに限定するものであり、しかもこのように構成することは、願書に添付された明細書の段落番号【００３４】〜段落番号【００４２】に記載されているから、特許請求の範囲の減縮を目的とした明細書の訂正に該当し、また、訂正事項ｃ、ｄは、上記訂正事項ａ、ｂと整合を図るものであるから、明りょうでない記載の釈明を目的とした明細書の訂正に該当し、いずれも、新規事項の追加に該当せず、実質上特許請求の範囲を拡張し、又は変更するものではない。
２−３．むすび
　以上のとおりであるから、上記訂正は、特許法第１２０条の４第２項及び同条第３項で準用する第１２６条第２、３項の規定に適合するので、当該訂正を認める。
　
３．特許異議申立ての概要
３−１．申立人相原光政は、下記甲第１号証〜甲第５号証を提出し、請求項１〜８に係る発明は、甲第１号証により特許法第２９条の２の規定に違反してなされたものであり、また請求項１〜８に係る発明は、甲第２号証〜甲第５号証より、同法第２９条第２項の規定に違反してなされたものであるから取り消すべき旨、
　　甲第１号証　特願平９−２１９５８３号（特開平１０−１６４１８１号公報参照）
　　甲第２号証　特開平４−２６４９７６号公報（刊行物１）
　　甲第３号証　「ソニー・テクトロニクス　ユーザ・マニュアル　Ｐｈａｓｅｒ ５５０Ｊ Ｚ５５０型」（１９６６年２月発行）（刊行物２）
　　甲第４号証　特開平６−２１４９３２号公報（刊行物３）
　　甲第５号証　「ＮＥＣ技報」Ｖｏｌ．４９　Ｎｏ．１２（１９９６年１２月２５日発行）（刊行物４）
３−２．申立人梅沢晃は、甲第１号証〜甲第５号証を提出し、請求項１〜８に係る発明は、甲第１号証〜甲第５号証より、同法第２９条第２項の規定に違反してなされたものであるから取り消すべき旨、それぞれ、主張している。
　　甲第１号証　Ｏｂｓｅｒｖｅｒ　Ｖｌ［１］１９９６ ｐ．１３〜１８（刊行物５）
　　甲第２号証　Ｏｂｓｅｒｖｅｒ　Ｖｌ［１１］１９９６ ｐ．６１〜６４（刊行物６）
　　甲第３号証　特開平７−７３１２８号公報（刊行物７）
　　甲第４号証　Ｏｂｓｅｒｖｅｒ　Ｖｌ［１０］１９９５ ｐ．１３（刊行物８）
　　甲第５号証　特開平７−３１９７７３号公報（刊行物９）
　
４．本件発明
　上記２．で示したように上記訂正が認められるから、本件発明請求項１〜８に係る発明は、訂正明細書の特許請求の範囲の請求項１〜８に記載された事項により特定された次のとおりのものである。
　請求項１「ＷＷＷサーバ装置と接続された通信装置と、この通信装置を介して前記ＷＷＷサーバ装置に接続されたホスト装置から送信される印刷データを印刷する印刷装置とを備えた印刷システムにおいて、
　前記印刷装置が、前記印刷データの印刷処理を実行する印刷実行部と、この印刷実行部の動作を所定の設定情報に基づいて制御すると共に前記印刷実行部の状態情報を生成する印刷制御部とを備え、
　前記通信装置が、前記印刷制御部によって生成された状態情報に基づいて前記ＷＷＷサーバ装置のホームページに当該状態情報を表示させるホームページ管理部を備え、
　前記ホームページ管理部は、前記印刷装置の状態情報の変化を検出した場合に前記状態情報を読み込んで前記ＷＷＷサーバ装置に格納された前記ホームページを成すファイルを更新することを特徴とする印刷システム。」
　請求項２「前記ホームページ管理部に、前記印刷制御部によって生成される複数の状態情報に応じたホームページ表示用ファイルを記憶するホームページ表示用ファイル記憶部を併設し、
　前記ホームページ管理部が、前記印刷制御部によって生成される状態情報に基づいて前記ホームページ表示用ファイル記憶部に格納されたホームページ表示用ファイルを選択すると共に前記ＷＷＷサーバ装置に出力するホームページ表示用ファイル出力機能を備えたことを特徴とする請求項１記載の印刷システム。」
　請求項３「前記印刷制御部が、前記印刷実行部によって印刷された印刷データの印刷履歴情報を生成する印刷履歴情報生成機能を備え、
　前記ホームページ管理部が、前記印刷履歴情報生成機能によって生成された印刷履歴情報を前記ＷＷＷサーバ装置に出力する印刷履歴表示制御機能を備えたことを特徴とする請求項１又は２記載の印刷システム。」
　請求項４「前記印刷制御部が、前記印刷実行部の保守情報を生成する保守情報生成機能を備え、
　前記ホームページ管理部が、前記保守情報生成機能によって生成された保守情報を前記ＷＷＷサーバ装置に出力する保守情報表示制御機能を備えたことを特徴とする請求項１又は２記載の印刷システム。」
　請求項５「前記ホームページ管理部が、前記ＷＷＷサーバ装置が提供するホームページに対して前記ホスト装置から入力された設定情報を受信する設定情報受信機能と、この設定情報受信機能によって受信した設定情報を前記印刷制御部に送信する設定情報送信機能を備えたことを特徴とする請求項１又は２記載の印刷システム。」
　請求項６「ネットワークに接続された複数のホスト装置から接続されるホームページを有するＷＷＷサーバ装置と、このＷＷＷサーバ装置に接続される複数のホスト装置と、この複数のホスト装置から送信された印刷データを受信する通信装置と、この通信装置で受信した印刷データを印刷する印刷装置とを備え、
　前記通信装置が、前記印刷装置の状態を前記ＷＷＷサーバ装置のホームページに表示する制御をするホームページ管理部を備え、
　前記ホームページ管理部は、前記印刷装置の状態の変化を検出した場合に前記状態情報を読み込んで前記ＷＷＷサーバ装置に格納された前記ホームページを成すファイルを更新することを特徴とする印刷システム。」
　請求項７「前記ＷＷＷサーバ装置が、前記印刷装置を利用する一般利用者向けのホームページと、当該印刷装置を管理する管理者向けのホームページとを備え、
　前記ホームページ管理部が、前記印刷装置の構成を表す構成情報及び印刷装置の動作を表す動作情報とを前記一般利用者向けのホームページに表示させる制御をする一般向け表示制御機能と、前記印刷装置の保守情報を前記管理者向けのホームページに表示させる制御をする管理者向け表示制御機能を備えたことを特徴とする請求項６記載の印刷システム。」
　請求項８「前記管理者向けのホームページが、前記印刷装置に対する設定情報の入力画面を有し、
　前記ＷＷＷサーバ装置が、前記設定情報の入力画面に入力された設定情報を前記通信装置に送信する設定情報送信機能を備え、
　前記通信装置が、前記設定情報送信機能によって送信された設定情報を受信す
る設定情報受信機能を備え、
　前記印刷装置が、前記設定情報受信機能によって受信した設定情報に基づいて前記印刷データを印刷する制御をする印刷制御部を備えたことを特徴とする請求項７記載の印刷システム。」
　
５．第２９条第２項違反について
５−１．引用した刊行物
５−１−１．刊行物１（申立人相原光政が提出した甲第２号証）
　ネットワークに接続された検索ステーション、ファイルサーバ、プリントサーバ等の各ステーションの保守、管理情報や履歴情報の収集ならびに保守作業を効率的に行うことを目的にして、検索作業とともに保守作業を兼用できる内部に各ステーションと通信する通信制御部を備えた検索ステーションを設け、この保守兼用の検索ステーションにおいて、ネットワークを介して、保守作業ができるとともに各ステーションの保守情報または管理情報を各ステーション内に備えた通信制御装置を介して収集し保管するようにした、発明が記載されている。
５−１−２．刊行物２（申立人相原光政が提出した甲第３号証）
　刊行物２には以下のようなことが記載されている。
　・「ＰｈａｓｅｒＬｉｎｋは、ＷＷＷのＨＴＴＰとＨＴＬを利用した、プリンタのコントロールおよびサポート・ツールです。」（Ａ−１頁）、
　・「標準ウェブ・ブラウザを使って、ネットワーク上のプリンタからステータスを受け取ったり、プリンタをコントロールしたりできます。」（Ａ−１頁）、
　・「ＴＣＰ／ＩＰ接続ができ、プリンタのＩＰアドレスを設定したら、ウェブ・ブラウザでＵＲＬ(Uniform Resource Locator)を入力して、プリンタの情報にアクセスします。」（Ａ−２頁）、
　・「プリンタの情報を見るとき、ステータス・ページが最初の場所です。ステータス・ページから、プリンタに関する20以上のページにアクセスできます。また、いくつかの外部のウェブ・サイトにもリンクできます。」（Ａ−３）、
　・Ａ−３頁には、ステータスページの例が図示され、「プリンタの写真と機種名」、「ページ名とプリンタ名」、「各ページの下部には５つのアイコン・ボタンが現れます。アイコン・ボタンをどれか押してプリンタの他のページに行きます。」といった説明が加えられている。
　・Ａ−５頁には、「アイコン・ボタンと関連ページ」の表が示され、「Configuration」の項には、「View and Configure Settingsページが表示されます。」、「次の操作ができます。」、「■ウェブでプリンタを設定および管理できます。」と記載されている。
　・Ａ−６〜Ａ−７頁には、「プリンタのコントロール：View and Configure Settingsページ」について記載され、「このページでの設定は、プリンタの前面パネルでの設定に対応します。設定は、プリンタのメモリに記憶され、プリンタ・ドライバからの設定でジョブごとに上書きされます。」と記載されている。
　・「システム管理者は、ユーザが設定を変更したり操作を実行するときに、パスワードを要求するように、ＰｈａｓｅｒＬｉｎｋページをセットアップできます。重要な設定が許可なく変更されることを防ぐため、パスワードの使用を推奨します。」（Ａ−８頁）
５−１−３．刊行物３（申立人相原光政が提出した甲第４号証）
　管理者側のコンソールのような遠隔位置から、ネットワークされた周辺装置の状態を入手あるいは制御することを可能とするために、プリンタの状態要求は、例えば管理者のコンソール14からローカルエリアネットワーク6に出され、対話型ネットワーク基板（ＮＥＢ）2に向けて送信し、基板2は、プリンタインタフェースを介して4に手動選択可能な機能の状態に関して問い合わせを実行し、これらの手動選択可能機能を基板2からローカルエリアネットワーク6に転送する。これらの手動選択可能機能の状態を変更するためのコマンドは、管理者のコンソール14よりローカルエリアネットワーク6に出され、対話型ネットワーク基板2に向けて送信され、このコマンドにより、基板2は変更された状態をプリンタインタフェースを介してプリンタ4に伝送し、手動選択可能機能に関するプリンタ状態が変更される、ことが記載されている。
５−１−４．刊行物４（申立人相原光政が提出した甲第５号証）
　第１３頁右欄の「４　プリンタユーティリティソフトウエア」には「プリンタユーティリティソフトウエアは、マルチプロトコルＬＡＮボードをネットワークに接続するために必要な情報の設定を容易にし、ネットワークに接続されたプリンタを一括管理するためのソフトウェアです。」と記載され、「４．１　機能」の項には、「プリンタユーティリティソフトウエアは、管理者ユーティリティとクライアントユーティリティで構成されます。」と記載された後に、管理者ユーティリティとクライアントユーティリティについて具体的に記載され、表４には、ユーティリティ機能一覧が示されている。
５−１−５．刊行物５（申立人梅沢晃が提出した甲第１号証）
　・「さらに、（ネットワーク）カード（および550におけるファームウエア）は、Tekの新しいPhaserLinkプリンタ管理ソフトウエアをサポートする。このソフトウエアは、顧客が標準のインターネットブラウザを使ってプリンタを管理可能にするために、ワールドワイドウェブプロトコールを使用している。」（第１４頁右欄１〜６行目）、
　・「ＨＰのＨＴＭＬdeal発表と同日に、Tectronixは、Tectronixカラープリンタを管理するためにのワールドワイドウェブに基づいたインタフェースであるPhaserLinkを発表した。PhaserLinkは、どのようなウェブブラウザによってでも、ユーザにプリンタの状態と構成へアクセスを与え、絶えず最新のオンラインドキュメンテーションとテクニカルサポートへのアクセスとを提供する。PhaserLinkは、このタイプの２番目の製品である；９月にGCCは、情報のアクセスとプリンタコントロールとを提供するために、、ワールドワイドウェブのオープンスタンダードを梃子入れしたWebAdminと呼ばれる同様な技術に着手した。
　機能の見地から、PhaserLinkは、TekのPhaserShareおよびＨＰのJetAdminやLexmarkのMarkVisionといった他のソフトウエアによって提案されている多くの同じネットワークプリンタ管理サービスを提供する。特に、それは、構成ツール、ジョブアカウンティングデータ、プリンタの現在の状態についての情報を、ユーザに提供する。
　しかしながら、より多くの他のプリンタ管理解決法は、SNMP(Simple Network Management Control)を使っているローカル・エリア・ネットワーク上で動作する所有者のプリンタ・ソフトウエアを使用する。このアプローチは、不利をもつ；ソフトウエアをインストールするためか更新するためか、もしくはプリンタ問題を調停するために、システム管理者は、各々のコンピュータ・プラットホームのために別々のソフトウエアツールで何十ものフロッピーを文字通りひきずりまわらなければならない。「ツールは、確かにそこにある」、Product and Technical MarketingのマネージャーであるRod Belsheeは言い、「しかし、従来の解決は、一つの管理の問題を他のものの代用とする：プリンタ管理問題のためのソフトウエア管理問題である。」
　しかしPhaserLinkならば、Tekは、プリンタにアクセスするために必要とされるものはウェブブラウザのみなので、ソフトウエア管理問題はないと、主張する。「ユーザが、すでにブラウザに精通しているならば、新しいユーザ・インタフェースを学ぶ必要がない」と、Belsheeは言う。Netscape製やMicrosoft製のブラウザのようなブラウザは、ほぼすべてのコンピュータ・プラットホームにたやすく利用できる。Tectronixは、現在の顧客の半分より多くのものはすでにブラウザを備えていると見積もる。そして数は急速に増大している。
　PhaserLinkは、ＴＣＰ／ＩＰパケットをサポートするどんな標準的なネットワーク上でも動作する。簡単に言えば、PhaserLinkは一つのネットワーク・プロトコールを他のものの代用する。プリンタ・パラメータをセットするために、SMNPを使用するよりむしろ、PhaserLinkは、Tekプリンタと通信を確立するために、HTTP(Hypertext Transfer Protocol)を使用する。Tekプリンタは、ウェブリンクがTekプリンタとなされたときに、ユーザのターミナル上に表示される組み込まれたHTML「ホームページ」をもつ（あるいはもつだろう）。さらに、HTTPは、プリンタのネットワーク・カードにネットワーク・プロトコールとして加えられる。」（第１６頁中欄第５２行目〜第１７頁左欄第２行目）。
５−１−６．刊行物６（申立人梅沢晃が提出した甲第２号証）
　・「１１月４日にヒューレット・パッカードは、Web JetAdmin、イントラネットをベースにしたバージョンとしてのWeb JetAdmin、firmのプリンタ管理プロトコールを導入した。Web JetAdminは、企業のイントラネット・ユーザに、標準のウェブ・ブラウザからネットワーク・プリンタ管理、モニターする簡単な方法を提供する。」（第６１頁左欄第１〜７行目）、
　・「Web JetAdminは、他のオペレーティング・システムやプラットホームにためのJetAdminの他のバージョンにはるかにまさっている。その顧客マッピングの特徴はグラフィカルな精巧さの新たなレベルをプリンタ管理につけ加える。この特徴は、ユーザや管理者に、オフィスマップ上にアイコンとして表されるユーザや管理者のプリンタを管理したり見たりすることを可能としている。特定のプリンタに関する詳細な情報は、対応するプリンタ・アイコンをクリックすることによって提供される。これらのアイコンは、プリンタの状態に依存して色を変える。アイコンが灰色であるならば、プリンタはオンラインで準備できている；アイコンが赤色であるならば、カバーが開いているというよな重大な印刷問題がある；アイコンが黄色であるならば、紙切れというような修復可能な問題がある。」（第６１頁左欄第８〜２４行目）、
　・「プリンタ・アイコンの何れかをクリックすることは、“プリンタ・プロパティ”スクリーンを生じさせる（次頁参照）。プロパティ・スクリーンは、プリンタの絵、プリンタの状態（オンあるいはオフライン）、プリンタのアドレス（ＩＰとハードウエア）、プリンタのＩＰＸ名、およびプリンタの能力（24ppm、色、デュプレクス、その他）を示す。
　プロパティ・スクリーンの上部に沿ってもう一つのタブの集合がある。左から３番目の“ジョブ(job)”タブは、システム管理者に装置で印刷されたジョブのリストを見るのを許容している。ジョブ統計は、ジョブを出した人、それがどのアプリケーションであるのか、それはいつ印刷されたのか、そしてどのサーバーがそれを処理したかといったことを含む。詳細のレベルは、プリンタに依存する。Ranneyは、「本質的に、5Siのような最新のプリンタが最も広範囲の情報を提供する。」と言う。このレベルの他のタブ・オプションは、管理者にプリンタの構成や診断の実行を許容している。」（第６１頁中欄第２０行目〜右欄第１８行目）、
　・「ＨＰは、Web JetAdminのセットアップは簡単であると言う。管理者は、ＨＰのウェブサイトから自由に（無料で）入手できるJetAdminソフトウェアをダウンロードする。ダウンロードする前に、答えるべき一つの質問がある：「ＣＧＩ(Common Graphics Interface)用のディレクトリをどこに作りたいですか。」　現在のところ、そのディレクトリは Windows NTサーバー上にインストールされなければならない。しかし将来には、IBMのOS/2をサポートすることが予定されている。
　より多くの他のプリンタ管理プログラムと異なり、Web JetAdminは、インストールするクライアント・ソフトウエアがない。ＰＣがブラウザをもち、どんなＬＡＮもしくはＷＡＮ上のプリンタを管理するかぎり、システム管理者は、企業のどんなＰＣのそばに座っていられる。「Web JetAdminはまた、管理者にブラウザとモデム線を除いてどんな特別なツールなしで在宅勤務を許容する。」とレーニーは言う。「いつでもどこでも簡単なプリンタ管理である。」」。
　そうすると、刊行物６には、ネットワークに接続されたプリンタと、ユーザや管理者がプリンタの状態をユーザや管理者のＰＣのブラウザにより見ることができるようにしたWindows NTサーバーと、特定のプリンタの情報は対応するプリンタ・アイコンをクリックすることで得られ、これらのアイコンはプリンタのカバーが開いているとか紙切れであるというプリンタの状態に依存して色を変え、プリンタ・アイコンをクリックすることで得られるプリンタ・プロパティ・スクリーンはプリンタの状態（オンあるいはオフライン）を示し、複数のタブも表示され、ジョブタブをクリックすると印刷されたジョブのリストが表示されること、が、記載されている。
５−１−７．刊行物７（申立人梅沢晃が提出した甲第３号証）
　刊行物７には以下のようなことが記載されている。
　・「通信制御部11を通してネットワーク上に存在する複数のコンピュータからのアクセスをアクセス制御12で制御し、アクセス可能なコンピュータからの印刷要求を印刷枚数計数部13でコンピュータ毎に及びそのコンピュータが所属している部門毎に計数する。そして保守ソフトウェア14に従ってその計数結果やプリンタ15の内部状態をを保守するコンピュータに転送する。」（【要約】参照）、
　・「本発明は、上記課題を解決するために成されたもので、ネットワークを介して柔軟な保守及び管理を行なえる情報出力装置を提供することを目的とする。」（段落番号【０００５】）、
　・「コンピュータからの情報を出力するための情報出力装置において、ネットワークを介して接続される複数のコンピュータとの通信を制御する通信制御手段と、前記通信制御手段によってアクセスされるコンピュータからの印刷要求を制御する制御手段と、前記制御手段で制御する印刷要求をコンピュータ毎に及びコンピュータが所属している部門毎に計数する計数手段と、前記計数手段での計数結果を、保守用のコンピュータからのアクセスに応じて転送する転送手段とを備える。」（段落番号【０００６】参照）。
５−１−８．刊行物８（申立人梅沢晃が提出した甲第４号証）
　第１３頁に示された図の下第１〜５行目には、以下のようなことが記載されている。
　「このソフトウエアは、ＧＣＣエリートＸＬシリーズ・ネットワーク・プリンタを管理するために、ワールド・ワイド・ウェブ・ブラウザを使用する。これらのプリンタは、ＴＣＰ／ＩＰを介してどんなウェブ・ブラウザ・アプリケーションによってでもアドレスし得るウェブ・サーバ・ソフトウエアを埋め込んだ。ＧＣＣは、プリンタに付属させてブラウザ・ソフトウェアを出荷はしないが、ブラウザ・ソフトウェアは、多くのソースから低価格または無料で利用できる。ブラウザを使って、ユーザはプリンタの構成(configuration)をチェックしたり変更したりすることができる。何がポイントか？　「所有者の［クライアント］ソフトウェアを必要としない」とアイデアを出したSaadia Balachは言う。」
５−１−９．刊行物９（申立人梅沢晃が提出した甲第５号証）
　刊行物９には、以下のようなことが記載されている。
　「【従来技術】従来の外部機器と接続される、例えばプリンタ装置等の画像処理装置においては、一般の操作者（以下、「ユーザ」とする）がホストコンピュータ等の外部機器から画像処理装置内部のデータへアクセスすることは、画像処理装置内のデータ保護の観点において、禁止されていた。また、例えば画像処理装置の保守サービスを行う保守員（以下、「サービスマン」とする）においては、一般ユーザが操作できない操作モードに入り、画像処理装置に対して操作を行うことにより、画像形成の際に重要な情報となる、例えば画像定着時の高電圧出力を調整する調整用データを変更して電圧を調整することができた。また、調整用データを画像処理装置内で自動的に変更して調整する自動調整モードも、同様にサービスマンのみが実行可能となるように構成されていた。更に、サービスマンしか使用することのできない外部機器を画像処理装置に接続して、調整データの調整を行う方法もあった。
　また、暗証番号を入力し、その暗証番号毎に画像形成を行った枚数を計数するユーザ管理モードでは、ある特定のユーザのみが操作できる操作モードに入り、その特定のユーザのみが各暗証番号毎の画像形成枚数の確認、及び枚数の初期化が可能なように構成されている。」（段落番号【０００２】〜【０００３】）、
　「ホストコンピュータの等の外部機器から制御可能である画像処理装置において、画像処理装置の内部データの機密保護を十分に行うことができる画像処理装置及び方法を提供するために、外部機器であるコンピュータ12からコンピュータインタフェース部7を介してプリンタ部2の内部データにアクセス可能であるか、コア部10において、アクセス対象となるプリンタ部2内部のデータ種別を判断して、コンピュータ12からのアクセスを許可するか否かを決定する。」（【要約】参照）、
　「また、画像処理装置内部データの読みだし及び書きこみの制限のみでなく、例えば画像処理装置におけるサービスモード、一般ユーザモード、管理者モード及び実行モードに対しても、モード実行の制限を設定することが可能である。」（段落番号【０１２２】）。
　
５−２．請求項１に係る発明について
５−２−１．対比
　本件請求項１に係る発明と刊行物６に記載されものを対比する。
　刊行物６記載のものでは、ネットワークに接続されたプリンタは該ネットワークに接続されたＰＣ等からのデータを印刷すると認められ、ユーザや管理者は自分のＰＣのブラウザを介して該ネットワークに接続されたWindows NTサーバー上のプリンタ情報を見るようにしているので、Windows NTサーバー上にプリンタに関するホームページが作成されているものであり、またカバーが開いているとか紙切れであるとかのプリンタの状態をWindows NTサーバー上に表示していることからして、Windows NTサーバーのホームページを構成するファイルを更新しているものと認められので、刊行物６に記載された「Windows NTサーバー」、「ＰＣ」、「プリンタ」は、それぞれ本件請求項１に係る発明の「ＷＷＷサーバ装置」、「ホスト装置」、「印刷装置」に対応している。そしてプリンタは、一般に、機構部と制御部とからなり、印刷データを所定の設定情報に基づいて印刷処理するものであり、機構部では、印刷データの印刷処理をし、制御部では、機構部の動作を所定の設定情報に基づいて制御し、ホストとの情報交換をするものであるからして、このプリンタの機構部、プリンタの制御部は、それぞれ本件請求項１に係る発明の「印刷実行部」、「印刷制御部」に対応している。
　そうすると本件請求項１に係る発明と刊行物６に記載されたものは、
　ＷＷＷサーバ装置に接続されたホスト装置から送信される印刷データを印刷する印刷装置とを備えた印刷システムにおいて、
　前記印刷装置が、前記印刷データの印刷処理を実行する印刷実行部と、この印刷実行部の動作を所定の設定情報に基づいて制御する印刷制御部とを備え、
　印刷装置からの状態情報に基づいて前記ＷＷＷサーバ装置のホームページに当該状態情報を表示させ、
　前記印刷装置の状態情報の変化を検出した場合に前記状態情報を読み込んで前記ＷＷＷサーバ装置に格納された前記ホームページを成すファイルを更新することを特徴とする印刷システム
　で一致し、下記の点で相違している。
　相違点１：本件請求項１に係る発明が、「ＷＷＷサーバ装置と接続された通信装置」を有し、この通信装置と他の装置、ＷＷＷサーバ装置、ホスト装置、印刷装置とは、「この通信装置を介して前記ＷＷＷサーバ装置に接続されたホスト装置から送信される印刷データを印刷する印刷装置」とのように接続され、そしてこの通信装置は、「印刷制御部によって生成された状態情報に基づいて前記ＷＷＷサーバ装置のホームページに当該情報を表示させるホームページ管理部を備え」ているのに対し、刊行物６のものにはこのように構成された通信装置を有しているのか不明な点。
　相違点２：本件請求項１に係る発明が、印刷制御部が印刷実行部の状態情報を生成しているのに対し、刊行物６のものにはこのような構成が明示されていない点。
５−２−２．判断
　相違点１：刊行物５に記載されたプリンタのネットワーク・カードが、本件請求項１に係る発明の「通信装置」および「ＷＷＷサーバ装置」を兼ねたものであり、通信装置に備えられた「ホームページ管理部」はネットワーク・カードが担っており、刊行物６記載のものも、プリンタからの状態に関する情報に基づいてWindows NTサーバー上のホームページに表示させているものであることからして、プリンタ側に、あるいはWindows NTサーバーに、ホームページ管理部を備えた通信装置に相当するものがあるものと認められ、ホームページを管理するホームページ管理部を備えた通信装置を設けるようにすることは、ネットワークをどう設計するか等の諸条件により、当業者が適宜想到し得るものと認められ、その際に、通信装置を介して前記ＷＷＷサーバ装置に接続されたホスト装置から送信される印刷データを印刷する印刷装置のように接続することは、当業者が適宜なし得ることと認められる。
　相違点２：プリンタは、一般に、機構部と制御部からなり、印刷データを所定の設定情報に基づいて印刷処理するものであり、機構部では、印刷データの印刷処理をし、制御部では、機構部の動作を所定の設定情報に基づいて制御し、ホストとの情報交換をするものであるからして、機構部の状態情報を生成させることを制御部に担わせるようにすることは、当業者が普通に採用し得る構成と認められる。
　したがって、本件請求項１に係る発明は、刊行物６に記載された事項に基づいて当業者が容易に発明をすることができたものである。
　
５−３．請求項２に係る発明について
５−３−１．対比
　本件請求項２に係る発明と刊行物６に記載されたものを対比する。
　本件請求項２に係る発明は、本件請求項１に係る発明も引用しており、本件請求項３に係る発明と刊行物６のものとは、上記５−２−１．で述べた点（相違点１、２）で相違し、また刊行物６のものは、ユーザや管理者は自分のＰＣのブラウザを介して該ネットワークに接続されたWindows NTサーバー上のプリンタ情報を見るようにしているので、Windows NTサーバー上にプリンタに関するホームページが作成されているものと認められるものの、通信装置のホームページ管理部に対する具体的構成、即ち「ホームページ管理部に、前記印刷制御部によって生成される複数の状態情報に応じたホームページ表示用ファイルを記憶するホームページ表示用ファイル記憶部を併設し、前記ホームページ管理部が、前記印刷制御部によって生成される状態情報に基づいて前記ホームページ表示用ファイル記憶部に格納されたホームページ表示用ファイルを選択すると共に前記ＷＷＷサーバ装置に出力するホームページ表示用ファイル出力機能を備え」た構成が示されていない点で相違する（相違点３）。
５−３−２．判断
　相違点１、２については、５−２−２．に記載した判断と同様である。
　相違点３：一般に、ホームページは、情報を表示すべき複数のページ、即ち複数のファイルからなり、該ファイルは記憶され、表示のために出力されるものであり、情報が変化（例えば、プリンタの制御部からの状態情報）した場合には、それに対応したファイルを更新させるようにすることは本願出願前周知な技術と認められ（例えば、刊行物２等、参照）、通信装置の「ホームページ管理部に、前記印刷制御部によって生成される複数の状態情報に応じたホームページ表示用ファイルを記憶するホームページ表示用ファイル記憶部を併設し、前記ホームページ管理部が、前記印刷制御部によって生成される状態情報に基づいて前記ホームページ表示用ファイル記憶部に格納されたホームページ表示用ファイルを選択すると共に前記ＷＷＷサーバ装置に出力するホームページ表示用ファイル出力機能を備え」るように構成することは、上記周知技術から当業者が必要に応じ容易になし得ることと認められる。
　したがって、本件請求項２に係る発明は、刊行物６に記載された事項及び周知技術に基づいて当業者が容易に発明をすることができたものである。
　
５−４．本件請求項３に係る発明について
５−４−１．対比
　本件請求項３に係る発明と刊行物６に記載されものを対比する。
　刊行物６には、「“ジョブ(job)”タブは、システム管理者に装置で印刷されたジョブのリストを見るのを許容している。ジョブ統計は、ジョブを出した人、それがどのアプリケーションであるのか、それはいつ印刷されたのか、そしてどのサーバーがそれを処理したかといったことを含む。」ことも記載されており、印刷履歴情報をWindows NTサーバー上のホームページ上でみることができるものである。そうすると、本件請求項３に係る発明は、本件請求項１に係る発明も引用しており、本件請求項３に係る発明と刊行物６のものとは、上記５−２−１．で述べた点（相違点１、２）で相違し、また本件請求項３に係る発明が、印刷履歴情報を生成する印刷履歴情報生成機能を印刷制御部に備えているのに対し、刊行物６のものにはそのような構成が示されていない点（相違点４）で相違している。
５−４−２．判断
　相違点１、２については、５−２−２．に記載した判断と同様である。
　相違点４：プリンタは、一般に、機構部と制御部からなり、印刷データを所定の設定情報に基づいて印刷処理するものであり、機構部では、印刷データの印刷処理をし、制御部では、機構部の動作を所定の設定情報に基づいて制御し、ホストとの情報交換をするものであるからして、機構部の印刷履歴の情報を生成させることを制御部に担わせるようにすることは、当業者が普通に採用し得る構成と認められる。
　したがって、本件請求項３に係る発明は、刊行物６に記載された事項に基づいて当業者が容易に発明をすることができたものである。
　
５−５．本件請求項４に係る発明について
５−５−１．対比
　本件請求項４に係る発明と刊行物６に記載されものを対比する。
　本件請求項４に係る発明は、本件請求項１に係る発明も引用しており、本件請求項４に係る発明と刊行物６のものとは、上記５−２−１．で述べた点（相違点１、２）で相違し、また本件請求項４に係る発明は、「印刷制御部が、印刷実行部の保守情報を生成する保守情報生成機能を備え」、ホームページ管理部が該保守情報をＷＷＷサーバ装置に出力する保守情報表示制御機能を備えているのに対し、刊行物６のものはそのような構成が示されていない点（相違点５）で相違する。
５−５−２．判断
　相違点１、２については、５−２−２．に記載した判断と同様である。
　相違点５：刊行物７には、ネットワークに接続されている情報出力装置（プリンタ装置）で生成される保守情報を、ネットワークに接続された保守用のコンピュータの要求に応じて保守用のコンピュータに転送することが記載されている。該保守情報を刊行物６に記載されたWindows NTサーバーに出力することは、そしてその際に、ホームページ用にのファイルとして出力することは、当業者が適宜なし得ることと認められる。
　したがって、本件請求項４に係る発明は、刊行物６、７に記載された事項に基づいて当業者が容易に発明をすることができたものである。
　
５−６．請求項５に係る発明
５−６−１．対比
　本件請求項５に係る発明と刊行物６に記載されものを対比する。
　本件請求項５に係る発明は、本件請求項１に係る発明も引用しており、本件請求項４に係る発明と刊行物６のものとは、上記５−２−１．で述べた点（相違点１、２）で相違し、また本件請求項５に係る発明は、「ホームページ管理部が、前記ＷＷＷサーバ装置が提供するホームページに対して前記ホスト装置から入力された設定情報を受信する設定情報受信機能と、この設定情報受信機能によって受信した設定情報を前記印刷制御部に送信する設定情報送信機能を備え」ているのに対し、刊行物６のものにはそのような構成が示されていない点（相違点６）で相違している。
５−６−２．判断
　相違点１、２については、５−２−２．に記載した判断と同様である。
　相違点６：刊行物８には、「ブラウザを使って、ユーザはプリンタの構成(configuration)をチェックしたり変更したりすることができる。」と記載されており、プリンタの構成(configuration)とは、例えば、「標準ウェブ・ブラウザを使って、ネットワーク上のプリンタからステータスを受け取ったり、プリンタをコントロールしたりできます。」と記載された刊行物２に、ブラウザでプリンタ情報を見る際に、configurationのボタンの操作によって開くView and Configure Settingsページで設定情報を入力することが記載されていることからして、設定情報のことも意味すると認められ、ブラウザを操作するのはホスト装置からであり、入力された設定情報は印刷制御部で実行されるものであるから、「ホームページ管理部が、前記ＷＷＷサーバ装置が提供するホームページに対して前記ホスト装置から入力された設定情報を受信する設定情報受信機能と、この設定情報受信機能によって受信した設定情報を前記印刷制御部に送信する設定情報送信機能を備え」るように構成することは、刊行物８に記載された事項から当業者が容易になし得ることと認められる。
　したがって、本件請求項５に係る発明は、刊行物６、８に記載された事項に基づいて当業者が容易に発明をすることができたものである。
　
５−７．請求項６に係る発明
５−７−１．対比
　本件請求項６に係る発明と刊行物６に記載されものを対比する。
　刊行物６記載のものでは、プリンタは複数のＰＣ等からのデータを印刷すると認められ、ユーザや管理者は自分のＰＣのブラウザを介してWindows NTサーバー上のプリンタ情報を見るようにしているので、Windows NTサーバー上にプリンタに関するホームページが作成されているものであり、またカバーが開いているとか紙切れであるとかのプリンタの状態をWindows NTサーバー上に表示していることからして、プリンタからの状態に関する情報に基づいてWindows NTサーバーのホームページを構成するファイルを更新しているものと認められる。刊行物６に記載された「Windows NTサーバー」、「複数のＰＣ」、「プリンタ」は、それぞれ本件請求項６に係る発明の「ＷＷＷサーバ装置」、「複数のホスト装置」、「印刷装置」に対応している。
　そうすると本件請求項１に係る発明と刊行物６に記載されたものは、
　ネットワークに接続された複数のホスト装置から接続されるホームページを有するＷＷＷサーバ装置と、このＷＷＷサーバ装置に接続される複数のホスト装置と、ホスト装置からの印刷データを印刷する印刷装置とを備え、
　印刷装置からの状態情報に基づいて前記ＷＷＷサーバ装置のホームページに当該状態情報を表示させ、
　前記印刷装置の状態情報の変化を検出した場合に前記状態情報を読み込んで前記ＷＷＷサーバ装置に格納された前記ホームページを成すファイルを更新することを特徴とする印刷システム
　で一致し、下記の点で相違している。
　相違点７：本件請求項６に係る発明が、複数のホスト装置から送信された印刷データを受信する通信装置を有し、通信装置で受信した印刷データを印刷装置で印刷させ、そしてこの通信装置は、「印刷制御部によって生成された状態情報に基づいて前記ＷＷＷサーバ装置のホームページに当該情報を表示させるホームページ管理部を備え」ているのに対し、刊行物６のものにはこのように構成された通信装置を有しているのか不明な点。
５−７−２．判断
　相違点７：刊行物５に記載されたプリンタのネットワーク・カードが、本件請求項１に係る発明の「通信装置」および「ＷＷＷサーバ装置」を兼ねたものであり、「ホームページ管理部」はネットワーク・カードが担っており、刊行物６記載のものも、プリンタからの状態に関する情報に基づいてWindows NTサーバー上のホームページに表示させているものであることからして、プリンタ側に、あるいはWindows NTサーバーに、ホームページ管理部を備えた通信部に相当するものがあるものと認められ、ホームページを管理するホームページ管理部を備えた通信装置を設けるようにすることは、ネットワークをどう設計するか等の諸条件により、当業者が適宜想到し得るものと認められ、その際に、通信装置を介して前記ＷＷＷサーバ装置に接続されたホスト装置から送信される印刷データを印刷する印刷装置のように接続することは、当業者が適宜なし得ることと認められる。
　したがって、本件請求項６に係る発明は、刊行物６に記載された事項に基づいて当業者が容易に発明をすることができたものである。
　
５−８．請求項７に係る発明
５−８−１．対比
　刊行物６には、「ユーザや管理者に、オフィスマップ上にアイコンとして表されるユーザや管理者のプリンタを管理したり見たりすることを可能としている。」ことや「左から３番目の“ジョブ(job)”タブは、システム管理者に装置で印刷されたジョブのリストを見るのを許容している。」と記載されていることからして、刊行物６記載の「ユーザ」、「管理者」もしくは「システム管理者」は、それぞれ請求項７に係る発明の「一般利用者」、「管理者」に相当するものと認められる。そうすると、請求項７に係る発明は、請求項６に係る発明を引用しているので、本件請求項７に係る発明と刊行物６のものとは、上記５−７−１．で述べた点（相違点７）で相違している。
５−８−２．判断
　５−７−２．に記載した判断と同様である。
　したがって、本件請求項７に係る発明は、刊行物６に記載された事項に基づいて当業者が容易に発明をすることができたものである。
　
５−９．請求項８に係る発明
５−９−１．対比
　本件請求項８に係る発明と刊行物６に記載されものを対比する。
　本件請求項８に係る発明は、本件請求項６に係る発明も引用しており、本件請求項４に係る発明と刊行物６のものとは、上記５−７−１．で述べた点（相違点７）で相違し、また本件請求項８に係る発明は、
　「前記管理者向けのホームページが、前記印刷装置に対する設定情報の入力画面を有し、
　前記ＷＷＷサーバ装置が、前記設定情報の入力画面に入力された設定情報を前記通信装置に送信する設定情報送信機能を備え、
　前記通信装置が、前記設定情報送信機能によって送信された設定情報を受信す
る設定情報受信機能を備え、
　前記印刷装置が、前記設定情報受信機能によって受信した設定情報に基づいて前記印刷データを印刷する制御をする印刷制御部を備え」
ているのに対し、刊行物６のものはそのような構成が示されていない点（相違点７）で相違する。
５−９−２．判断
　相違点７については、５−７−２．に記載した判断と同様である。
　相違点８：刊行物６には、「ユーザや管理者に、オフィスマップ上にアイコンとして表されるユーザや管理者のプリンタを管理したり見たりすることを可能としている。」ことや「左から３番目の“ジョブ(job)”タブは、システム管理者に装置で印刷されたジョブのリストを見るのを許容している。」と記載されていることからして、管理者だけが扱えるページがあり、また刊行物８には、「ブラウザを使って、ユーザはプリンタの構成(configuration)をチェックしたり変更したりすることができる。」と記載されており、プリンタの構成(configuration)とは、例えば、「標準ウェブ・ブラウザを使って、ネットワーク上のプリンタからステータスを受け取ったり、プリンタをコントロールしたりできます。」と記載された刊行物２に、ブラウザでプリンタ情報を見る際に、configurationのボタンの操作によって開くView and Configure Settingsページで設定情報を入力することが記載されていることからして、設定情報のことも意味すると認められ、ブラウザを操作するのはホスト装置からであり、入力された設定情報は印刷制御部で実行されるものであるから、「前記管理者向けのホームページが、前記印刷装置に対する設定情報の入力画面を有し、前記ＷＷＷサーバ装置が、前記設定情報の入力画面に入力された設定情報を前記通信装置に送信する設定情報送信機能を備え、前記通信装置が、前記設定情報送信機能によって送信された設定情報を受信する設定情報受信機能を備え、前記印刷装置が、前記設定情報受信機能によって受信した設定情報に基づいて前記印刷データを印刷する制御をする印刷制御部を備え」るように構成することは、上記刊行物６、８に記載された技術事項から当業者が容易になし得ることと認められる。
　したがって、本件請求項８に係る発明は、刊行物６、８に記載された事項に基づいて当業者が容易に発明をすることができたものである。
　
６．むすび
　以上のとおりであって、本件請求項１〜８に係る発明の特許は、特許法第２９条第２項の規定に違反してなされたものであるから、同法第１１３条第２号に該当し、取り消されるべきものである。
　よって結論のとおり決定する。
【異議決定日】
平成１４年９月１８日（２００２．９．１８）
【訂正の要旨】
訂正の内容
１．訂正事項ａ
　特許請求の範囲の請求項１において、
　「【請求項１】　ＷＷＷサーバ装置と接続された通信装置と、この通信装置を介して前記ＷＷＷサーバ装置に接続されたホスト装置から送信される印刷データを印刷する印刷装置とを備えた印刷システムにおいて、
　前記印刷装置が、前記印刷データの印刷処理を実行する印刷実行部と、この印刷実行部の動作を所定の設定情報に基づいて制御すると共に前記印刷実行部の状態情報を生成する印刷制御部とを備え、
　前記通信装置が、前記印刷制御部によって生成された状態情報に基づいて前記ＷＷＷサーバ装置のホームページに当該状態情報を表示させるホームページ管理部を備えたことを特徴とする印刷システム。」とあるのを、
　「【請求項１】　ＷＷＷサーバ装置と接続された通信装置と、この通信装置を介して前記ＷＷＷサーバ装置に接続されたホスト装置から送信される印刷データを印刷する印刷装置とを備えた印刷システムにおいて、
　前記印刷装置が、前記印刷データの印刷処理を実行する印刷実行部と、この印刷実行部の動作を所定の設定情報に基づいて制御すると共に前記印刷実行部の状態情報を生成する印刷制御部とを備え、
　前記通信装置が、前記印刷制御部によって生成された状態情報に基づいて前記ＷＷＷサーバ装置のホームページに当該状態情報を表示させるホームページ管理部を備え、
　前記ホームページ管理部は、前記印刷装置の状態情報の変化を検出した場合に前記状態情報を読み込んで前記ＷＷＷサーバ装置に格納された前記ホームページを成すファイルを更新することを特徴とする印刷システム。」と訂正する。
２．訂正事項ｂ
　特許請求の範囲の請求項６において、
　「【請求項６】　ネットワークに接続された複数のホスト装置から接続されるホームページを有するＷＷＷサーバ装置と、このＷＷＷサーバ装置に接続される複数のホスト装置と、この複数のホスト装置から送信された印刷データを受信する通信装置と、この通信装置で受信した印刷データを印刷する印刷装置とを備え、
　前記通信装置が、前記印刷装置の状態を前記ＷＷＷサーバ装置のホームページに表示する制御をするホームページ管理部を備えたことを特徴とする印刷システム。」とあるのを
　「【請求項６】　ネットワークに接続された複数のホスト装置から接続されるホームページを有するＷＷＷサーバ装置と、このＷＷＷサーバ装置に接続される複数のホスト装置と、この複数のホスト装置から送信された印刷データを受信する通信装置と、この通信装置で受信した印刷データを印刷する印刷装置とを備え、
　前記通信装置が、前記印刷装置の状態を前記ＷＷＷサーバ装置のホームページに表示する制御をするホームページ管理部を備え、
　前記ホームページ管理部は、前記印刷装置の状態の変化を検出した場合に前記状態情報を読み込んで前記ＷＷＷサーバ装置に格納された前記ホームページを成すファイルを更新することを特徴とする印刷システム。」と訂正する。
３．訂正事項ｃ
　明細書の段落番号【００１４】の記載において、
　「【課題を解決するための手段】
　そこで、本発明では、ＷＷＷサーバ装置と接続された通信装置と、この通信装置を介してＷＷＷサーバ装置に接続されたホスト装置から送信される印刷データを印刷する印刷装置とを備えている。しかも、印刷装置が、印刷データの印刷処理を実行する印刷実行部と、この印刷実行部の動作を所定の設定情報に基づいて制御すると共に印刷実行部の状態情報を生成する印刷制御部とを備え、通信装置が、印刷制御部によって生成された状態情報に基づいてＷＷＷサーバ装置のホームページに当該状態情報を表示させるホームページ管理部を備えた、という構成を採っている。これにより前述した目的を達成しようとするものである。」とあるのを、
　「【課題を解決するための手段】
　そこで、本発明では、ＷＷＷサーバ装置と接続された通信装置と、この通信装置を介してＷＷＷサーバ装置に接続されたホスト装置から送信される印刷データを印刷する印刷装置とを備えている。しかも、印刷装置が、印刷データの印刷処理を実行する印刷実行部と、この印刷実行部の動作を所定の設定情報に基づいて制御すると共に印刷実行部の状態情報を生成する印刷制御部とを備え、通信装置が、印刷制御部によって生成された状態情報に基づいてＷＷＷサーバ装置のホームページに当該状態情報を表示させるホームページ管理部を備え、ホームページ管理部は、印刷装置の状態情報の変化を検出した場合にその情報を読み込んでＷＷＷサーバ装置に格納されたホームページを成すファイルを更新する、という構成を採っている。これにより前述した目的を達成しようとするものである。」と訂正する。
４．訂正事項ｄ
　明細書の段落番号【００１５】の記載において、
　「ＷＷＷサーバ装置（ワールド・ワイド・ウェブ・サーバ・コンピュータ）は、各ホスト装置から接続されるホームページを有し、各ホスト装置から送信されたアドレスに応じてホームページを構築するファイルを各ホストコンピュータに送信する。一方、このＷＷＷサーバ装置に接続された各ホスト装置は、通信装置と接続されている。この通信装置は、プリンタサーバ装置か、または、印刷装置に接続されるネットワークボードである。また、ＷＷＷサーバ装置を実現するコンピュータが、この通信装置としても機能する構成とすることもできる。この通信装置は、ホームページ管理部を備えている。ホームページ管理部は、印刷装置の印刷制御部によって生成された状態情報に基づいてＷＷＷサーバ装置のホームページに当該状態情報を表示させる。各ホスト装置は、このＷＷＷサーバ装置のホームページにアクセスすると、印刷装置の状態がそのディスプレイに表示される。」とあるのを、
　「ＷＷＷサーバ装置（ワールド・ワイド・ウェブ・サーバ・コンピュータ）は、各ホスト装置から接続されるホームページを有し、各ホスト装置から送信されたアドレスに応じてホームページを構築するファイルを各ホストコンピュータに送信する。一方、このＷＷＷサーバ装置に接続された各ホスト装置は、通信装置と接続されている。この通信装置は、プリンタサーバ装置か、または、印刷装置に接続されるネットワークボードである。また、ＷＷＷサーバ装置を実現するコンピュータが、この通信装置としても機能する構成とすることもできる。この通信装置は、ホームページ管理部を備えている。ホームページ管理部は、印刷装置の印刷制御部によって生成された状態情報に基づいてＷＷＷサーバ装置のホームページに当該状態情報を表示させ、印刷装置の状態情報の変化を検出した場合にその状態情報を読み込んでＷＷＷサーバ装置に格納されたホームページを成すファイルを更新する。各ホスト装置は、このＷＷＷサーバ装置のホームページにアクセスすると、印刷装置の状態がそのディスプレイに表示される。」と訂正する。
（５４）【発明の名称】
印刷システム
（５７）【特許請求の範囲】
　【請求項１】　ＷＷＷサーバ装置と接続された通信装置と、この通信装置を介して前記ＷＷＷサーバ装置に接続されたホスト装置から送信される印刷データを印刷する印刷装置とを備えた印刷システムにおいて、
前記印刷装置が、前記印刷データの印刷処理を実行する印刷実行部と、この印刷実行部の動作を所定の設定情報に基づいて制御すると共に前記印刷実行部の状態情報を生成する印刷制御部とを備え、
前記通信装置が、前記印刷制御部によって生成された状態情報に基づいて前記ＷＷＷサーバ装置のホームページに当該状態情報を表示させるホームページ管理部を備え
、
前記ホームページ管理部は、前記印刷装置の状態情報の変化を検出した場合に前記状態情報を読み込んで前記ＷＷＷサーバ装置に格納された前記ホームページを成すファイルを更新する
　【請求項２】　前記ホームページ管理部に、前記印刷制御部によって生成される複数の状態情報に応じたホームページ表示用ファイルを記憶するホームページ表示用ファイル記憶部を併設し、
前記ホームページ管理部が、前記印刷制御部によって生成される状態情報に基づいて前記ホームページ表示用ファイル記憶部に格納されたホームページ表示用ファイルを選択すると共に前記ＷＷＷサーバ装置に出力するホームページ表示用ファイル出力機能を備えたことを特徴とする請求項１記載の印刷システム。
　【請求項３】　前記印刷制御部が、前記印刷実行部によって印刷された印刷データの印刷履歴情報を生成する印刷履歴情報生成機能を備え、
前記ホームページ管理部が、前記印刷履歴情報生成機能によって生成された印刷履歴情報を前記ＷＷＷサーバ装置に出力する印刷履歴表示制御機能を備えたことを特徴とする請求項１又は２記載の印刷システム。
　【請求項４】　前記印刷制御部が、前記印刷実行部の保守情報を生成する保守情報生成機能を備え、
前記ホームページ管理部が、前記保守情報生成機能によって生成された保守情報を前記ＷＷＷサーバ装置に出力する保守情報表示制御機能を備えたことを特徴とする請求項１又は２記載の印刷システム。
　【請求項５】　前記ホームページ管理部が、前記ＷＷＷサーバ装置が提供するホームページに対して前記ホスト装置から入力された設定情報を受信する設定情報受信機能と、この設定情報受信機能によって受信した設定情報を前記印刷制御部に送信する設定情報送信機能を備えたことを特徴とする請求項１又は２記載の印刷システム。
　【請求項６】　ネットワークに接続された複数のホスト装置から接続されるホームページを有するＷＷＷサーバ装置と、このＷＷＷサーバ装置に接続される複数のホスト装置と、この複数のホスト装置から送信された印刷データを受信する通信装置と、この通信装置で受信した印刷データを印刷する印刷装置とを備え、
前記通信装置が、前記印刷装置の状態を前記ＷＷＷサーバ装置のホームページに表示する制御をするホームページ管理部を備え
、
前記ホームページ管理部は、前記印刷装置の状態情報の変化を検出した場合に前記状態情報を読み込んで前記ＷＷＷサーバ装置に格納された前記ホームページを成すファイルを更新する
　【請求項７】　前記ＷＷＷサーバ装置が、前記印刷装置を利用する一般利用者向けのホームページと、当該印刷装置を管理する管理者向けのホームページとを備え、
前記ホームページ管理部が、前記印刷装置の構成を表す構成情報及び印刷装置の動作を表す動作情報とを前記一般利用者向けのホームページに表示させる制御をする一般向け表示制御機能と、前記印刷装置の保守情報を前記管理者向けのホームページに表示させる制御をする管理者向け表示制御機能を備えたことを特徴とする請求項６記載の印刷システム。
　【請求項８】　前記管理者向けのホームページが、前記印刷装置に対する設定情報の入力画面を有し、
前記ＷＷＷサーバ装置が、前記設定情報の入力画面に入力された設定情報を前記通信装置に送信する設定情報送信機能を備え、
前記通信装置が、前記設定情報送信機能によって送信された設定情報を受信する設定情報受信機能を備え、
前記印刷装置が、前記設定情報受信機能によって受信した設定情報に基づいて前記印刷データを印刷する制御をする印刷制御部を備えたことを特徴とする請求項７記載の印刷システム。
【発明の詳細な説明】
　【０００１】
　【発明の属する技術分野】本発明は印刷システムに係り、特にネットワーク環境で使用する印刷システムに関する。
　【０００２】
　【従来の技術】従来より、プリンタの予め決められた複数状態（以下、ステータスと呼ぶ）をホストコンピュータが監視して、ホストコンピュータの画面に表示するシステムがあった（例えば、特開平６−８５３６号公報）。
　【０００３】この従来例では、図９に示すように、印刷
装置内部にはホストコンピュータ（ホスト装置）１０１にプリンタ１０２のステータスを送信する為の専用の手段を有する。一方、ホストコンピュータ内部にはプリンタのステータスを読み込む専用の手段を有する。そして、ホストコンピュータは定期的にプリンタと通信し、プリンタ内部に読みとるべきステータスが存在するかを検索する。
　【０００４】また、ネットワークによりプリンタと複数のホストコンピュータが接続された環境において、プリンタのステータスを、ホストコンピュータを操作しているユーザに通知する従来技術の一例としては、特開平７−１５６４６１号公報に開示されている。この従来例では、図１０に示すように、プリンタ１０２にスピーカを搭載し、異なる種類の音声を予め設定されたタイミングで発声させることにより、離れたところのユーザに通知する。
　【０００５】
　【発明が解決しようとする課題】しかしながら、上述した図９に示す従来例では、技術の前提が１対１の接続形態であり、ネットワーク環境での通信に関して何ら考慮がなされていないため、ネットワーク環境で印刷装置の状態をホスト装置に表示するためには使用できない。すなわち、従来例では、１つのホスト装置が印刷装置と接続していると、他のホスト装置は当該印刷装置に接続することができなくなるため、印刷装置の動作の詳細を各ホスト装置に同時に表示することができない、という不都合があった。
　【０００６】さらに、図９に示す手法を発展させてネットワークに対応したとしても、システム構成が複雑になり、システムの開発やセットアップ、更には運用に多大な工数を要する、という不都合があった。すなわち、ホスト装置にプリンタと通信し、読みとったステータスを表示する専用の手段がネットワーク環境に存在する多数のホスト装置の全てに必要となってしまう。この場合、利用者の側からは、この専用の手段の使用方法を覚えなければならなくなってしまう。
　【０００７】一方、ユーザは手軽にプリンタの状態を監視すると、ネットワーク上に流れるデータを増加させてしまい、すると、ネットワークへの負荷が大きくなってしまう。
　【０００８】また、図１０に示す手法では、限られた使用環境では有効かもしれないが、ネットワークの規模、事務所の静寂性の面で限界がある。
　【０００９】このように、従来例では、ネットワークに接続された印刷装置の動作状態を当該ネットワークに接続された各ホストコンピュータに表示することができない、という不都合があった。
　【００１０】
　【発明の目的】本発明は係る従来例の有する不都合を改善し、特に、ネットワーク環境で使用する印刷装置に関する詳細な情報をホスト装置に表示することのできる印刷システムを提供することを、その目的とする。
　【００１１】すなわち、第１の目的は、ネットワーク環境において、ユーザとプリンタが離れた場所にあっても、プリンタの構成情報や印刷情報をユーザが知る手段を提供することにより、印刷システムの操作性を向上させることである。
　【００１２】第２の目的は、ネットワーク環境において、管理者とプリンタが離れた場所にあっても、管理者向けのプリンタの動作設定を行う手段を提供することにより、印刷システム全体の操作性を向上させることである。
　【００１３】第３の目的は、ネットワーク環境において、保守員とプリンタが離れた場所にあっても、保守情報の吸い上げ、及び設定を行う手段を提供することである。
　【００１４】
　【課題を解決するための手段】そこで、本発明では、ＷＷＷサーバ装置と接続された通信装置と、この通信装置を介してＷＷＷサーバ装置に接続されたホスト装置から送信される印刷データを印刷する印刷装置とを備えている。しかも、印刷装置が、印刷データの印刷処理を実行する印刷実行部と、この印刷実行部の動作を所定の設定情報に基づいて制御すると共に印刷実行部の状態情報を生成する印刷制御部とを備え、通信装置が、印刷制御部によって生成された状態情報に基づいてＷＷＷサーバ装置のホームページに当該状態情報を表示させるホームページ管理部を備え
、ホームページ管理部は、印刷装置の状態情報の変化を検出した場合にその状態情報を読み込んでＷＷＷサーバ装置に格納されたホームページを成すファイルを更新する
　【００１５】ＷＷＷサーバ装置（ワールド・ワイド・ウェブ・サーバ・コンピュータ）は、各ホスト装置から接続されるホームページを有し、各ホスト装置から送信されたアドレスに応じてホームページを構築するファイルを各ホストコンピュータに送信する。一方、このＷＷＷサーバ装置に接続された各ホスト装置は、通信装置と接続されている。この通信装置は、プリンタサーバ装置か、または、印刷装置に接続されるネットワークボードである。また、ＷＷＷサーバ装置を実現するコンピュータが、この通信装置としても機能する構成とすることもできる。この通信装置は、ホームページ管理部を備えている。ホームページ管理部は、印刷装置の印刷制御部によって生成された状態情報に基づいてＷＷＷサーバ装置のホームページに当該状態情報を表示させ
、印刷装置の状態情報の変化を検出した場合にその状態情報を読み込んでＷＷＷサーバ装置に格納されたホームページを成すファイルを更新する
　【００１６】印刷装置の状態情報としては、構成情報と動作情報とがある。構成情報は、例えば用紙ホッパの種類やメモリの容量など、印刷装置の構成に関する情報である。また、動作情報は、例えば給紙方法や印刷属性など各種設定に関する情報である。その他、印刷履歴情報や保守情報を表示するようにしても良い。印刷履歴情報は、印刷中のものを含めて、既に印刷した印刷データのファイル名等であり、この履歴情報をホスト装置で確認することで、目的の印刷データの印刷が終了したか否かを知ることができる。さらに、保守情報は、例えば総印刷枚数や部品交換年月日など、印刷装置の保守を行うために必要な情報である。
　【００１７】ホームページ管理部によって、これらの情報がＷＷＷサーバ装置のホームページに掲載される。このため、ホスト装置では、一般的なＷＷＷブラウザを用いて当該ホームページにアクセスすると、ネットワークに接続されている印刷装置の詳細情報をホスト装置のディスプレイに表示される。
　【００１８】
　【発明の実施の形態】次に本発明の実施の形態について図面を参照して詳細に説明する。図１は本発明のシステム構成を表している。本実施形態によるプリンタシステムは、ＷＷＷサーバ装置２と接続された通信装置（プリントサーバ）３と、このプリントサーバ３を介してＷＷＷサーバ装置２に接続されたホスト装置１から送信される印刷データを印刷する印刷装置（プリンタ）４とを備えている。
　【００１９】しかも、プリンタ４が、印刷データの印刷処理を実行する印刷実行部４３と、この印刷実行部４３の動作を所定の設定情報に基づいて制御すると共に印刷実行部の状態情報を生成する印刷制御部４４とを備えている。さらに、プリントサーバ３が、印刷制御部４４によって生成された状態情報に基づいてＷＷＷサーバ装置２のホームページに当該状態情報を表示させるホームページ管理部３２を備えている。
　【００２０】印刷制御部４４は、プリンタ全体を制御する全体制御部４４と、印刷実行部４３の動作状態及び全体制御部４４による制御内容をプリントサーバ３に伝達する情報伝達部４２とを備えている。この全体制御部４４は、印刷実行部４３の動作を制御すると共に当該印刷実行部の動作状態や構成状態を管理し、状態情報を生成する。さらに、ホームページ管理部は、情報伝達部から伝達された状態情報の内容をＷＷＷサーバ装置のホームページに表示させる制御をする。このため、各ホストＰＣは、汎用のＷＷＷブラウザを用いてプリンタの詳細情報をそのディスプレイに表示することができる。
　【００２１】また、実施の形態によっては、ホームページ管理部に、印刷制御部によって生成される複数の状態情報に応じたホームページ表示用ファイルを記憶するホームページ表示用ファイル記憶部３５を併設する。この場合、ホームページ管理部３２が、印刷制御部４４によって生成される状態情報に基づいてホームページ表示用ファイル記憶部３５に格納されたホームページ表示用ファイルを選択すると共にＷＷＷサーバ装置２に出力するホームページ表示用ファイル出力機能を備える。このホームページ表示用ファイルは、例えばＨＴＭＬファイルであり、また、ＷＷＷブラウザで実行可能なプログラムである。この実施形態によると、ＷＷＷサーバ装置の記憶部の特定のディレクトリーにＨＴＭＬファイル等を状態情報に応じて選択して出力することで、ＷＷＷサーバ装置のホームページの内容を状態情報に合わせて更新する。
　【００２２】この状態情報は、上述したように、用紙ホッパの種類やメモリの容量などの印刷装置の構成に関する情報と、給紙方法や印刷属性など各種設定に関する動作情報とである。さらに、他の実施形態では、印刷履歴情報や保守情報をホームページに表示させるようにしてもよい。印刷履歴情報を表示させる場合には、印刷制御部４４が、印刷実行部４３によって印刷された印刷データの印刷履歴情報を生成する印刷履歴情報生成機能を備える。さらに、ホームページ管理部３２が、印刷履歴情報生成機能によって生成された印刷履歴情報をＷＷＷサーバ装置２に出力する印刷履歴表示制御機能を備える。
　【００２３】また、保守情報を表示させる場合には、印刷制御部４４が、印刷実行部の保守情報を生成する保守情報生成機能を備え、ホームページ管理部３２が、保守情報生成機能によって生成された保守情報をＷＷＷサーバ装置に出力する保守情報表示制御機能を備える。この保守情報は、プリンタ装置の全てのユーザ（ホスト装置）に表示する必要はないため、ＷＷＷサーバ装置に管理者用のページを設けて表示するようにしてもよい。
　【００２４】また、このような管理車用のページを設ける場合には、ホームページに対して入力を行えるように構成するようにしてもよい。この場合、ホームページ管理部３２が、ＷＷＷサーバ装置２が提供するホームページに対してホスト装置から入力された設定情報を受信する設定情報受信機能と、この設定情報受信機能によって受信した設定情報を印刷制御部に送信する設定情報送信機能を備える。
　【００２５】これを詳細に説明する。本実施形態では、ネットワーク２５により、プリンタ４、プリントサーバ３、ＷＷＷサーバ２、ホストコンピュータ１が接続されている。まず、プリンタ４上の構成について説明する。
　【００２６】プリンタ４は、ネットワークで接続されたプリントサーバ３と通信を行う手段を提供する通信部４１と、通信部４１を通して受信した印刷データを解釈し、用紙への印刷を実行する印刷実行部４３と、プリンタ内部の情報を読み込み、通信部４１を通してプリントサーバ３へ送信する情報伝達部４２とを備えている。
　【００２７】通信部４１はプリントサーバ３と通信を行う手段を提供するが、実際に通信を行うのは印刷実行部、情報伝達部である。また、印刷実行部は従来からあるプリンタとして基本的な機能であるが、本発明では印刷を行った履歴情報を管理し、情報伝達部４２へ通知する。
　【００２８】情報伝達部４２からプリントサーバ３へ送信するデータは、プリンタの構成情報、動作モードの情報、保守情報、及び印刷実行部から通知を受けた印刷履歴情報である。また、情報伝達部４２は通信部４１を通してプリントサーバ３から受信したデータを内部情報として更新する。
　【００２９】全体制御部４４は、内部情報を参照し、印刷データの処理以外のプリンタの動作を制御する。例えば、操作盤の制御、給紙方法の制御、排紙方法の制御などである。また、内部情報の更新も行う。プリンタの構成情報に変化が、あったときはその内容を更新する。操作盤から設定された動作モードに変更があった場合はその内容を更新する。更に保守情報として、印刷実行部４３から受けた印刷枚数情報を保守情報として更新する。全体制御４４が実現しているこれらの機能は従来からあるプリンタとして基本的な機能である。
　【００３０】プリンタの内部情報として、構成情報４５はプリンタへのオプション機器の装着状態に関する情報の集まりである。例えば、用紙ホッパの種類と数、メモリ装着容量、などである。動作情報４６はプリンタが動作するときの諸設定の情報の集まりである。例えば、給紙方法、排紙方法、ソートモードなどである。保守情報４７は保守を行う為の情報の集まりである。例えば、総印刷枚数、保守対象部品の交換年月日、などである。これらの内部情報は、電源を切っても情報が保持される不揮発性ＲＯＭなどに記憶されている。
　【００３１】次に、プリントサーバ３上の構成について説明する。プリントサーバ３は、ネットワークで接続されたプリンタ４及びＷＷＷサーバ２と通信を行う手段を提供する通信部３１と、プリンタ４と通信を行い、プリントサーバ３内部の情報ファイルを更新するプリンタ管理部３３と、ＷＷＷサーバ装置２のホームページの内容をプリンタ４の動作に応じて変更するホームページ管理部とを備えている。
　【００３２】プリンタ管理部３３は、現在の設定値３４、印刷履歴３６、保守情報３７、構成情報を更新する。構成情報はＨＴＭＬファイルテーブル３５に反映する。また、設定値ファイル３４において、ユーザから設定された値をプリンタへ送信する。
　【００３３】ホームページ管理部３２は通信部３１を通してＷＷＷサーバと通信を行い、プリントサーバ３内部の情報ファイルを更新する。更新する情報は、設定値３４である。また、内部情報を読み込み、ＷＷＷサーバ２のホームページ２２、管理者用ページ２３に反映する。ホームページ管理部３２とプリンタ管理部３３は、ＰＣに搭載されたハードディスクに格納されるソフトウェアで実現する。内部情報は同じくハードディスクに格納されるファイルである。
　【００３４】次に、ＷＷＷサーバ装置２上の構成について説明する。ＷＷＷサーバ装置２は、ネットワークで接続されたプリントサーバ３、及びホストコンピュータ１と通信する手段を提供するネットワーク通信部２１を備えている。これは、ＷＷＷサーバとして通常必要な機能である。ＷＷＷサーバ２の内部には、各ホームページ毎のディレクトリ構造がハードディスクに構築されている。その中に、本発明の印刷システム専用のディレクトリが存在し、ホームページ２２を成すＨＴＭＬファイルが格納されている。更に、管理者用のページ２３を成すＨＴＭＬファイルも格納されている。ＨＴＭＬファイルは、プリントサーバ３からのファイル転送により、予め設定されたタイミングによりファイルは更新される。
　【００３５】次に、ホストコンピュータ１上の構成について説明する。ホストコンピュータ１は、ネットワークで接続されたＷＷＷサーバ２と通信する手段を提供する通信部１１と、通信部１１を通してＷＷＷサーバ２と通信し、ＷＷＷサーバ２上のホームページを成すＨＴＭＬファイルを読みとり、ホストコンピュータ１のディスプレイにホームページを表示しユーザに示すＷＷＷブラウザ１４と、印刷データを作成するアプリケーション１３及びプリンタドライバ１２とを備えている。アプリケーション１３及びプリンタドライバ１２とは、本発明で新たに追加されるものではなく、印刷を行う基本的な要素である。また、実施の形態によっては、ＷＷＷブラウザ１４は、ユーザが設定した設定値をＷＷＷサーバ２に送信する。
　【００３６】次に、本発明の実施の形態の動作を説明する。図２は印刷システム全体の動作を表すシステムフローチャートである。最初に図２を参照して全体の動作について説明する。（フロー１）は構成情報の流れを表す。プリンタは電源投入時、及び定期的に機器構成に変化がないかハードウェア情報を監視する。電源投入時には必ず、機器構成を構成情報としてプリントサーバに報告する。その後は、機器構成に変化があった場合に報告する。プリントサーバは情報を一旦プリントサーバ内部の情報として整理してから、ＷＷＷサーバの一般者用ホームページ▲１▼に載せる。ユーザはホストコンピュータを操作して、汎用のＷＷＷブラウザを使用してＷＷＷサーバ上の一般者用のホームページ▲１▼を任意のタイミングで参照することにより、プリンタの機器構成を知ることができる。
　【００３７】（フロー２）は印刷履歴情報の流れを表す。印刷ジョブが実行される毎に、印刷システムの形態を考慮して、予め設定されたタイミングで、印刷ジョブに関する情報をプリンタはプリントサーバに報告する。プリントサーバは情報を一旦プリントサーバ内部の情報として整理してから、ＷＷＷサーバの一般者用ホームページ▲１▼に載せる。ユーザはホストコンピュータを操作して、汎用のＷＷＷブラウザを使用してＷＷＷサーバ上の一般者用のホームページを任意のタイミングで参照することにより、プリンタでの印刷状況を知ることができる。
　【００３８】（フロー３）はプリンタの動作モードに関する設定値の流れを表す。プリンタは電源投入時、及びリセット時等の予め設定されたタイミングでプリンタ内部の設定値をプリントサーバに報告する。その後は、設定情報に変化があった場合に報告する。プリントサーバは情報を一旦プリントサーバ内部の情報として整理してから、ＷＷＷサーバの管理者用ページ▲２▼に載せる。
　【００３９】管理者はホストコンピュータを操作して、汎用のＷＷＷブラウザを使用してＷＷＷサーバ上の管理者用ページ▲２▼を任意のタイミングで参照することにより、プリンタでの現在の設定状況を知ることができる。管理者は設定値を変更する場合は、管理者用ページで表示されている画面に従い、設定する。情報はプリントサーバを経由してプリンタの内部情報を更新する。また、この際、プリントサーバ内の設定値情報も更新される。
　【００４０】（フロー４）は保守情報の流れを表す。プリンタは電源投入時に前回までの保守情報をプリントサーバに報告する。その後は、印刷ジョブを実行した結果を、プリンタ内部の情報に蓄え、予め設定されたタイミングで報告する。プリントサーバは情報を一旦プリントサーバ内部の情報として整理してから、ＷＷＷサーバの管理者用ホームページ▲２▼に載せる。
　【００４１】管理者はホストコンピュータを操作して、汎用のＷＷＷブラウザを使用してＷＷＷサーバ上の管理者用のホームページ▲２▼を任意のタイミングで参照することにより、プリンタの保守情報を知ることができる。
　【００４２】次に本発明のキーコンポーネントの各ソフトウェアの動作を各図を参照して説明する。図３は「ホームページ管理部」のフローチャートである。まず、プリントサーバ内部の情報ファイルを参照して、ＷＷＷサーバ上のホームページを初期設定を行う（Ｓ１）。次に、構成情報ファイルの変化を検出した場合は（Ｓ２）、読み込み、ホームページを更新する（Ｓ３）。保守情報ファイルの変化を検出した場合は（Ｓ４）、読み込み、管理者用ページを更新する（Ｓ５）。印刷履歴ファイルの変化を検出した場合は（Ｓ６）、読み込み、ホームページを更新する（Ｓ７）。設定値情報ファイルの変化を検出した場合は（Ｓ８）、読み込み、管理者用ページを更新する（Ｓ９）。また、設定値情報の変更を管理者から受信した場合は設定値情報を更新する。
　【００４３】図４は「プリンタ管理部」のフローチャートである。
　【００４４】プリンタの準備が完了したことを検出後、プリンタからの初期状態を入手し、プリントサーバの内部情報の初期設定を行う（Ｓ１１）。次に、構成情報の変化がプリンタから報告されている場合は（Ｓ１２）、読み込み、構成情報ファイルを更新する（Ｓ１３）。保守情報の変化がプリンタから報告されている場合は（Ｓ１４）、読み込み、保守情報ファイルを更新する（Ｓ１５）。
　【００４５】印刷履歴の情報の変化がプリンタから報告されている場合は（Ｓ１６）、読み込み、印刷履歴ファイルを更新する（Ｓ１７）。。設定値情報ファイルが管理者により変更されていた場合は（Ｓ１８）、プリンタにその設定値を送信する（Ｓ１９）。また、設定値情報の変化がプリンタから報告されている場合は、読み込み、設定値ファイルを更新する。
　【００４６】図５は「情報伝達部」のフローチャートである。まず、プリンタの電源投入後、プリントサーバへ初期状態を送信する。次に、プリンタの構成情報の変化を検出した場合は（Ｓ２０）、プリンタ内部の情報を読み込み、プリントサーバへ送信する（Ｓ２１）。操作パネルの操作による設動作モードの設定値情報の変化を検出した場合は、読み込み、設定値情報をプリントサーバに送信する。保守情報の変化を検出した場合は（Ｓ２２）、読み込み、プリントサーバに送信する（Ｓ２３）。印刷履歴の情報の変化を検出した場合は（Ｓ２４）、読み込み、印刷履歴情報をプリントサーバに送信する（Ｓ２５）。また、プリントサーバから設定値の変更の指示を受信した場合は（Ｓ２６）、プリンタ内部情報を更新する（Ｓ２７）。
　【００４７】上述したように本実施形態によると、次の効果を奏する。
　【００４８】第１の効果は、ネットワーク環境において、ユーザとプリンタが離れた場所にあっても、プリンタの構成情報や印刷情報をユーザが知ることができるようになるということである。これにより、印刷システムの操作性を向上させることができる。
　【００４９】第２の効果は、ネットワーク環境において、管理者とプリンタが離れた場所にあっても、管理者向けのプリンタの動作設定を行うことができるようになるということである。これにより、印刷システムの管理、運用を容易にすることができる。
　【００５０】第３の効果は、ネットワーク環境において、保守員とプリンタが離れた場所にあっても、保守情報の吸い上げ、及び設定を行うことができるようになるということである。これにより印刷システムの管理、運用を容易に実行することができる。
　【００５１】
　【実施例】次に、本発明の実施例の構成について図１のシステム構成図に対応させて説明する。ホストコンピュータ１は、例えば、グラフィカルユーザインターフェースを有するオペレーティングシステムが動作する汎用のパーソナルコンピュータである。ＷＷＷブラウザ１４も、汎用のブラウザを使用する。
　【００５２】ＷＷＷサーバ２においても、本発明に特化するものではなく、汎用の装置を使用する。但し、ＷＷＷサーバ２上で開設するホームページの内容は、本発明の特徴であるので、後述する。プリントサーバ３も汎用のパーソナルコンピュータである。
　【００５３】通信部３１はネットワークプロトコルを制御するソフトウェアとハードウェアからなる。ネットワークプロトコルとしてはＴＣＰ／ＩＰ、Ｎｅｔｂｅｕｉ等をサポートするものが一般的である。
　【００５４】ホームページ管理部３２、及びプリンタ管理部３３はプリントサーバに接続されているハードディスク内に格納されたソフトウェアに従って動作するＣＰＵにより実現する。
　【００５５】設定値ファイル３４は、現在のプリンタの動作モードに関する設定情報と、変更があった場合に、その旨を表すフラグ情報から成る。印刷履歴ファイルは、用紙サイズ毎の総印刷毎数の情報と、保守部品の交換年月日が格納されている。保守部品の例としてはレーザプリンタに使用するオプション機器や装置内部の用紙走行系を形成する部品等である。
　【００５６】ＨＴＭＬファイルテーブル３５は、プリンタ構成に応じた絵を含めた表現別のＨＴＭＬファイル群から成る。予め、ＨＴＭＬファイルを必要分準備しておくことにより、ホームページの更新手順を容易にしている。以上のファイル群は全てプリントサーバ３に接続されたハードディスク内に保存したファイルである。
　【００５７】プリンタ４は本実施例では小型レーザプリンタである。オプション機器としては数種類の給紙ホッパとマルチシートフィーダや、数種類の増設メモリ他、各種のエミュレーションボードが準備されている。情報伝達部４２、印刷実行部４３、全体制御部は４４はプリンタコントローラ上に搭載した読み込み専用メモリのＲＯＭ等の記憶媒体に書き込みされた組み込みソフトウェア（以下、Ｆ／Ｗを呼ぶ）である。Ｆ／Ｗは同じくプリンタコントローラ上に搭載されたＣＰＵにより解釈されて動作する。構成情報４５、動作情報４６、保守情報４７は同じくプリンタコントローラ上に搭載された不揮発性ＲＯＭに書き込まれた情報ファイルである。最終的なデータを作成する過程において、一時記憶メモリのＲＡＭ上で作業が行われる。
　【００５８】次に、本発明のポイントであるホームページと管理者用ページの動作について、レイアウト例の図６を参照して説明する。
　【００５９】上図は一般利用者用のホームページ７である。本画面では、プリンタ名称を含めたタイトル５１を最上部に表示する。プリンタの外観の絵を用いた構成情報５２は、構成が変化した場合に、変化後の装置外観へと絵そのものが変化する。これにより、視覚的に現在のプリンタのオプション構成を確認できる。絵の隣に配置した構成情報一覧５３は、絵と同様なオプション構成を文字により示す。各オプションの簡単な説明も加え、絵に比べ、より詳細な情報を提供する。絵と同様に、プリンタの構成の変化に伴い、一覧表は変化し、現在の状態を表す。
　【００６０】印刷履歴一覧５４は、予め設定されたジョブ数をスタックとして、印刷が終了した印刷ジョブに関して、ジョブ名、ページ数、印刷者名、印刷時刻を表示する。最大数を超えた場合は、古いものから削除され、常に最新のジョブが、予め決められた数内で表示される。これは、一実施例であり、履歴の表現方法のカスタマイズは容易である。
　【００６１】本ホームページ７は、管理者用のページ８へリンクしている。リンク用のボタン５５を押下すると、管理者用のページ８にアクセスできるが、本実施例ではセキュリティを重視し、パスワードによる認証確認ダイアログ５６を一旦表示する。一般の利用者が、安易にプリンタの状態を変更することが望ましくないシステムにおいては有効である。セキュリティのチェック方法に関しては、カスタマイズは容易である。
　【００６２】下図は管理者用のページ８である。本画面では、プリンタ名称を含めたタイトル５７を最上部に表示する。プリンタの動作を決定する設定項目５９は一覧形式で表示し、現在の設定値を合わせて表示する。また、設定を変更するためのボタン、リストボックス等がそれぞれに付いている。全ての設定を工場設定値に戻すボタンも提供する。本ボタンが押下されると、それまでの設定は全て無視して、プリンタを工場出荷時の設定状態に再設定する。保守情報５８は一覧の形式で示される。実際に保守を行い、部品交換を実施した場合には、部品交換日を設定する。内部的には、設定値として扱われ、プリンタ内部に設定される。
　【００６３】
　【発明の他の実施の形態】他の実施の形態として２つの形態を以下に示す。最初にＷＷＷサーバとプリントサーバを１台のコンピュータで兼用した例である。技術的には容易であり、一般的な運用形態とも言える。第１の実施形態の例として、ＷＷＷサーバ装置とプリントサーバとを分けたのは、説明を容易とするためである。図８に示す例では、ＷＷＷサーバ件プリントサーバ５がＷＷＷサーバ２とプリントサーバ３の機能を兼ね備える。
　【００６４】２番目のケースとしては、プリントサーバを用いずに、インテリジェント型のネットワークボード６をプリンタに接続し、ＷＷＷサーバと直接通信するものである。本ケースではネットワークボード６上にプリントサーバ３と同等の機能を有する。ネットワークボードを専用に開発する必要が生じるが、専用のプリントサーバを必要としない分、設置上、運用上のメリットが大きい。
　【００６５】
　【発明の効果】本発明は以上のように構成され機能するので、これによると、ホームページ管理部が、印刷装置の印刷制御部によって生成された状態情報に基づいてＷＷＷサーバ装置のホームページに当該状態情報を表示させるため、各ホスト装置は、このＷＷＷサーバ装置のホームページにアクセスすることで、印刷装置の状態をディスプレイに表示することができ、従って、ネットワーク環境において利用者と印刷装置とが離れた場所にあっても、ホスト装置の利用者は印刷装置の状態を簡単に知ることができ、しかも、このような印刷装置の詳細情報の表示により印刷装置や通信装置に対するアクセスを増大させることなく、さらに、ホスト装置になんら新しい構成を必要とすることなく印刷装置の詳細情報の表示を行うことができる従来にない優れた印刷システムを提供することができる。
【図面の簡単な説明】
　【図１】本発明の一実施形態の構成を示すブロック図である。
　【図２】図１に示す構成の全体動作の一例を示すシステムフローチャートである。
　【図３】図１に示すホームページ管理部の動作を示すフローチャートである。
　【図４】図１に示すプリンタ管理部の動作を示すフローチャートである。
　【図５】図１に示す情報伝達部の動作を示すフローチャートである。
　【図６】ホームページ画面レイアウト例を示す説明図である。
　【図７】ＷＷＷサーバとプリントサーバを同一のＰＣで構築した応用例を示すブロック図である。
　【図８】プリントサーバの代わりにネットワークボードを使用した応用例を示すブロック図である。
　【図９】ローカル接続時の従来技術の一例を示すブロック図である。
　【図１０】音声を使用した従来技術の一例を示すブロック図である。
　【符号の説明】
　１　ホスト装置（ホストコンピュータ）
　２　ＷＷＷサーバ装置
　３　プリントサーバ（通信装置）
　４　プリンタ（印刷装置）
　５　ＷＷＷサーバ兼プリントサーバ
　６　ネットワークボード（通信装置）
　７　一般用ホームページ画面例
　８　管理者用ページ画面例
　１１　ホスト装置上の通信部
　１２　ホスト装置上のプリンタドライバ
　１３　ホスト装置上のアプリケーション
　１４　ホスト装置上の汎用のＷＷＷブラウザ
　２１　ＷＷＷサーバ装置上の通信部
　２２　ＷＷＷサーバ装置上のプリンタの一般のホームページ
　２３　ＷＷＷサーバ装置上のプリンタの管理者用ホームページ
　３１　プリントサーバ上の通信部
　３２　プリントサーバ上のホームページ管理部
　３３　プリントサーバ上のプリンタ管理部
　３４　プリントサーバ上の設定値ファイル
　３５　プリントサーバ上のＨＴＭＬファイルテーブル
　３６　プリントサーバ上の印刷履歴ファイル
　３７　プリントサーバ上の保守情報ファイル
　４１　プリンタ上の通信部
　４２　プリンタ上の情報伝達部
　４３　プリンタ上の印刷実行部
　４４　プリンタ上の全体制御部
　４５　プリンタ上の構成情報
　４６　プリンタ上の動作情報
　４７　プリンタ上の保守情報
　５１　プリンタ名を含む一般用タイトル
　５２　構成情報（絵）
　５３　構成情報（一覧）
　５４　印刷履歴
　５５　管理者用ページへのリンクボタン
　５６　パスワードによるセキュリティチェックダイアログ
　５７　管理者用タイトル
　５８　保守情報一覧
　５９　動作モード設定項目
　６０　ホームページへ戻るボタン